(57)【要約】【課題】記録媒体に伝達される衝撃で記録媒体に形成される現像剤像の画質が悪化することを防止することができる画像形成装置を提供する。【解決手段】現像剤像が形成される像保持体と、該像保持体に圧接して記録媒体に前記現像剤像を転写する像転写体と、前記現像剤像を前記記録媒体に定着する定着手段と、前記記録媒体を前記定着手段に案内する案内部材と、前記記録媒体の種類を認識する認識手段と、該認識手段で所定の記録媒体を認識した場合に、前記記録媒体が前記案内部材に到達する前に、前記像保持体と前記像転写体との圧接部と、前記定着手段の圧接部との間で前記記録媒体に湾曲部が形成されるように前記案内部材を初期位置から作動位置に作動させると共に、一の前記記録媒体が前記像保持体と前記像転写体との圧接部を通過する前に、前記案内部材を前記作動位置から前記初期位置に作動させる作動手段と、を備えることを特徴とする画像形成装置。【選択図】図３
2009069633.tif 000002
【特許請求の範囲】
【請求項１】
静電潜像が形成され該静電潜像が現像剤で現像されて現像剤像が形成される像保持体と、
該像保持体に圧接して前記像保持体から記録媒体に前記現像剤像を転写する像転写体と、
加熱体と該加熱体に圧接して圧接部を形成する加圧体とを有して前記記録媒体に転写された前記現像剤像を前記記録媒体に定着する定着手段と、
前記現像剤像が転写された前記記録媒体を前記定着手段に案内する案内部材と、
前記記録媒体の種類を認識する認識手段と、
該認識手段で所定の記録媒体を認識した場合に、前記記録媒体が前記案内部材に到達する前に、前記像保持体と前記像転写体との圧接部と、前記定着手段の圧接部との間で前記記録媒体に湾曲部が形成されるように前記案内部材を初期位置から作動位置に作動させると共に、一の前記記録媒体が前記像保持体と前記像転写体との圧接部を通過する前に、前記案内部材を前記作動位置から前記初期位置に作動させる作動手段と、を備えることを特徴とする画像形成装置。
【請求項２】
前記作動手段は、前記案内部材を作動させる作動部と、該作動部を制御する制御部から構成され、
前記作動部の駆動源はソレノイドであることを特徴とする請求項１に記載の画像形成装置。
【請求項３】
前記作動手段は、前記案内部材を作動させる作動部と、該作動部を制御する制御部から構成され、
前記作動部の駆動源はステッピングモータであることを特徴とする請求項１に記載の画像形成装置。
【発明の詳細な説明】
【技術分野】
【０００１】
本発明は、画像形成装置に関する。
【背景技術】
【０００２】
従来、定着ロール、加圧ロール及び感光体を有する複写機に設けられた定着装置の用紙案内板固定装置において、定着装置の一部であって、定着ロール及び加圧ロールと感光体との間に設けられたフレームと、このフレームに取り付けられた弾性部材と、この弾性部材を介して取り付けられ、前記感光体により像の転写された用紙を前記定着ロールと前記加圧ロールとの間の接触部に搬出する用紙案内板と、この用紙案内板を前記弾性体を介して前記フレームに固定し、その弾性体の動作範囲を制限するストッパと、を備え、前記感光体から送出された用紙が前記用紙案内板上を通過するとき、前記弾性体の作用により前記用紙案内板が最初に下方に移動し、前記用紙の搬送に伴って前記弾性体が前記ストッパーに当たるまで前記用紙案内板が上方に移動し、これによって前記用紙をスムーズに搬送することを特徴とする用紙案内板固定装置が知られている（特許文献１参照）。
【０００３】
【特許文献１】特開平０７−０４９６２８号公報
【発明の開示】
【発明が解決しようとする課題】
【０００４】
本発明の目的とするところは、像保持体に形成された現像剤像が像転写体で所定の種類の記録媒体に転写され定着手段の加熱体と加圧体とで形成される圧接部に記録媒体が侵入した際及び一の所定の種類の記録媒体が像保持体と像転写体との圧接部を通過した際に、記録媒体に伝達される衝撃で記録媒体に形成される現像剤像の画質が悪化することを防止することができる画像形成装置を提供することにある。
【課題を解決するための手段】
【０００５】
請求項１に記載された発明は、静電潜像が形成され該静電潜像が現像剤で現像されて現像剤像が形成される像保持体と、該像保持体に圧接して前記像保持体から記録媒体に前記現像剤像を転写する像転写体と、加熱体と該加熱体に圧接して圧接部を形成する加圧体とを有して前記記録媒体に転写された前記現像剤像を前記記録媒体に定着する定着手段と、前記現像剤像が転写された前記記録媒体を前記定着手段に案内する案内部材と、前記記録媒体の種類を認識する認識手段と、該認識手段で所定の記録媒体を認識した場合に、前記記録媒体が前記案内部材に到達する前に、前記像保持体と前記像転写体との圧接部と、前記定着手段の圧接部との間で前記記録媒体に湾曲部が形成されるように前記案内部材を初期位置から作動位置に作動させると共に、一の前記記録媒体が前記像保持体と前記像転写体との圧接部を通過する前に、前記案内部材を前記作動位置から前記初期位置に作動させる作動手段と、を備えることを特徴とする画像形成装置である。
【０００６】
請求項２に記載された発明は、前記作動手段は、前記案内部材を作動させる作動部と、該作動部を制御する制御部から構成され、前記作動部の駆動源はソレノイドであることを特徴とする請求項１に記載の画像形成装置である。
【０００７】
請求項３に記載された発明は、前記作動手段は、前記案内部材を作動させる作動部と、該作動部を制御する制御部から構成され、前記作動部の駆動源はステッピングモータであることを特徴とする請求項１に記載の画像形成装置である。
【発明の効果】
【０００８】
請求項１に記載された発明によれば、本構成を有しない場合に比較して像保持体に形成された現像剤像が像転写体で所定の種類の記録媒体に転写され定着手段の加熱体と加圧体とで形成される圧接部に記録媒体が侵入した際及び一の所定の種類の記録媒体が像保持体と像転写体との圧接部を通過した際に、記録媒体に伝達される衝撃で記録媒体に形成される現像剤像の画質が悪化することを防止することができる。
【０００９】
請求項２に記載された発明によれば、本構成を有しない場合に比較して上記効果に加え作動手段の作動部を安価に構成することができる。
【００１０】
請求項３に記載された発明によれば、本構成を有しない場合に比較して上記効果に加え多数の種類の記録媒体に応じて作動手段の作動量を設定することができる。
【発明を実施するための最良の形態】
【００１１】
以下に、本発明の実施形態について図面を参照して説明する。
【００１２】
[第１実施形態]
図１〜図３は、本発明に係る画像形成装置の第１実施形態を説明する図である。
【００１３】
図１及び図２は、本実施形態における画像形成装置を示す概略図である。画像形成装置１は、図１に示すように、装置本体（不図示）の内部に、画像情報に基づくトナー像（現像剤像）を形成すると共にそのトナー像を最終的に用紙（記録媒体）９に転写する作像装置１０、そのトナー像が転写された用紙９を通過させてトナー像の定着を行う定着装置３０、及び作像装置１０に用紙９を供給する給紙装置３５が主に装備されている。図中の符合４は画像形成装置１の各構成部品の動作等について総括的に制御する制御装置であり、矢付き一点鎖線は用紙９の主な搬送経路を示す。
【００１４】
作像装置１０は、例えば公知の電子写真方式を利用してトナー像を形成して転写することができるものである。具体的には、矢印Ａ方向に回転駆動する円筒状の感光体ドラム（像保持体）１２を備えており、この感光体ドラム１２の周囲に、感光体ドラム１２の表面を一様に帯電させる帯電ロール等を備えた帯電装置１３、帯電後の感光体ドラム１２の表面に画像情報に基づく光を照射して電位差のある静電潜像を形成するＬＥＤアレイ、レーザ走査装置等からなる露光装置（ＲＯＳ）１４、その静電潜像にトナー（現像剤）を転移付着させてトナー像を形成する現像装置１５、そのトナー像を給紙装置３５から供給される用紙９に転写する転写ロール（像転写体）１６ａ等を備えた転写装置１６、転写後の感光ドラム１２の表面に残留するトナー等を感光体ドラム１２に接触して清掃するクリーニングブレードを有するクリーニング装置１７が主に配置されている。
【００１５】
このうち、感光ドラム１２は、ドラム状の基材に有機感光材料からなる光導電性層を形成したものである。帯電装置１３は、導電性のロール基材に半導電性の弾性層等を形成してなる帯電ロールを感光ドラム１２の表面に接触させて従動回転するように設置しており、また、その帯電ロールに電源装置（不図示）から所定の帯電用電圧が印加されるようになっている。露光装置１４は、画像形成装置１に接続又は装備される原稿読取装置、コンピュータ等の外部機器から入力される画像情報を画像形成時に画像処理装置（不図示）で所要の処理をして得られる画像信号が入力されるようになっている。
【００１６】
また、現像装置１５は、その収容しているトナーを感光ドラム１２と対向する現像位置に搬送供給するための現像ロールを装備しており、また、その現像ロールに電源装置（不図示）から所定の現像用電圧が印加されるようになっている。
【００１７】
また、転写装置１６は、不図示のバイアス電源によって感光ドラム１２上のトナー像が引き付けられる方向の転写バイアスを印加することで、感光ドラム１２上のトナー像を用紙９に転与させるものであり、本実施の形態における転写装置１６は、感光ドラム１２と、この感光ドラム２１に圧接して対向配置された転写ロール１６ａとで転写圧接部を形成している。そして、この感光ドラム１２と転写ロール１６ａとの間で形成された転写圧接部には、複数のローラ（本例では、駆動ロール１６ｂ及び従動ロール１６ｃ）に捲回されて、所定の方向に回転自在（本例では、時計回り方向）に形成され、用紙９を転写部から定着部へ搬送する転写搬送ベルト１６ｄが挿通されている。この転写搬送ベルト１６ｄは、回転速度が転写装置１６の転写速度（転写圧接部を通過する際の用紙９の搬送速度）と同期するように駆動ロール１６ｂにより回転駆動されるようになっており、その表面に用紙９を静電気力により吸着して、用紙９の転写搬送ベルト１６ｄと一体の高速搬送を可能としている。尚、転写ロール１６ａは転写搬送ベルト１６ｄに従動回転している。
【００１８】
また、クリーニング装置１７は、転写後の感光ドラム１２の表面に所定の圧力で先端部が接触するクリーニングブレード、及びクリーニングブレードを支持するブレード支持部材から構成されている。
【００１９】
定着装置３０は、本体３１の内部に、所定の温度に加熱されると共に矢印方向に回転駆動する加熱ロール３２、及びこの加熱ロール３２に圧接して対向配置され従動回転する加圧ロール３３を備えたものである。そして、定着は、その加熱ロール３２と加圧ロール３３の間の定着圧接部にトナー像が転写された用紙９を導入して通過させることによりトナー像等を加熱加圧することで行われる。
【００２０】
給紙装置３５は、作像装置１０に供給すべき複数枚の用紙９が積載されて収容される給紙カセット３６、及びこの給紙カセット３６に収容される用紙９を１枚ずつ送り出す送出機構３７を主に備えたものである。給紙カセット３６は、必要により複数装備される。また、給紙装置３５は、用紙９を給紙カセット３６から作像装置１０の転写部（感光ドラム１２と転写装置１６の間）まで搬送するための用紙搬送ロール対３８ａ，３８ｂ，３８ｃ，…やガイド部材等で構成される用紙搬送路を装備している。用紙搬送路は、作像装置１０と定着装置３０の間や、定着装置３０と排紙部（トレイなど）３９の間にも設置されている。例えば定着装置３０の用紙排出側には、定着後の用紙９を排紙部３９に排出搬送するための排出ロール対３８ｄが設置されている。
【００２１】
尚、図１中符号１１は、画像形成装置１に対して着脱自在のプロセスカートリッジである。本実施形態におけるプロセスカートリッジ１１は、感光体ドラム１２、帯電装置１３、現像装置１５、及びクリーニング装置１７のプロセス機器を有している。
【００２２】
図２は、本実施形態における画像形成装置の作動装置を示す概略図である。
【００２３】
転写装置１６と定着装置３０（加熱ロール３２及び加圧ロール３３）との間には、転写搬送ベルト１６ｄで搬送された用紙９を定着圧接部に導くインレットシュート（案内部材）５０、及び転写搬送ベルト１６ｄで搬送された用紙９が定着圧接部に導かれる用紙９の姿勢を調節する作動装置（作動手段）５２が設けられている。
【００２４】
作動装置５２は、インレットシュート５０を作動させる作動部材（作動部）と作動部材を制御する不図示の制御部から構成されている。尚、制御部は制御装置４の一部として構成することができる。
【００２５】
作動部材は、インレットシュート５０の転写装置１６側である一端を支点としてインレットシュート５０を初期位置から反時計回り方向に回転するように駆動する駆動源であるソレノイド５２ａ、及びインレットシュート５０を時計回り方向に付勢する引張りコイルバネ５２ｂから構成されている。尚、インレットシュート５０の初期位置とは、転写搬送ベルト１６ｄで搬送された普通紙（坪量が１００ｇ／ｍ2以下の用紙９）が定着圧接部に導かれる際に後述する湾曲部Ｗが形成されない位置である。
【００２６】
また、本実施形態における画像形成装置１には、用紙９の種類を認識する不図示の認識装置（認識手段）が設けられている。用紙９の種類としては、坪量が１００ｇ／ｍ2以下である普通紙、及び坪量が１００ｇ／ｍ2を超える厚紙等が挙げられる。認識装置としては、画像形成装置１の不図示の操作部からユーザが用紙９の種類を入力又は選択して制御装置４が特定の用紙９であることを認識する装置、又は画像形成装置１の内部に設けられ用紙９の種類を検知する不図示の検知手段の検知結果に基づいて制御手段４が特定の用紙９であることを認識する装置等が挙げられる。
【００２７】
次に、本実施形態における画像形成装置１の作動装置５２の動作について説明する。
【００２８】
図３は、本実施形態における画像形成装置の作動装置の動作について説明する図である。
【００２９】
図３（ａ）は、インレットシュート５０が作動装置５２で初期位置から作動位置に作動された状態を示す図である。
【００３０】
図３（ｂ）は、インレットシュート５０が作動装置５２で作動位置から初期位置に作動された状態を示す図である。
【００３１】
尚、インレットシュート５０の作動位置とは、転写装置１６と定着装置３０の定着圧接部との間で用紙９に湾曲部Ｗが形成される位置である。
【００３２】
インレットシュート５０が作動装置５２で初期位置から作動位置に作動される場合は、認識装置で所定の種類の用紙９（本例では厚紙）を認識した場合である。
【００３３】
インレットシュート５０が作動装置５２で初期位置から作動位置に作動されるタイミングは、転写搬送ベルト１６ｄで搬送された用紙９がインレットシュート５０に到達する前であればよく、例えば、感光体ドラム１２に形成されたトナー像を用紙９の所定位置に転写するために用紙９の搬送タイミングを制御するため用紙９の先端を検知するレジセンサ（Ｒｅｇｉ  ＳＮＲ）が用紙９の先端を検知してからＴ１ｍｓ後、又は感光体ドラム１２に静電潜像を形成するＲＯＳ１４書込みを開始してからＴ１ｍｓ後等が挙げられる。
【００３４】
インレットシュート５０が作動装置５２で作動位置から初期位置に作動されるタイミングは、一の用紙９が転写圧接部を通過する前であればよく、例えば、用紙９が定着装置３０から排出されたことを検知するフューザイクジットセンサ（Ｆｕｓｅｒ  Ｅｘｉｔ  ＳＮＲ）が用紙９の先端を検知してからＴ２ｍｓ後等が挙げられる。
【００３５】
尚、転写装置１６と定着装置３０の定着圧接部との間で用紙９に湾曲部Ｗが形成されることで、感光体ドラム１２に形成されたトナー像が転写装置１６で用紙９（本例では厚紙）に転写され定着装置３０の定着圧接部に用紙９が侵入した際及び一の用紙９（本例では厚紙）が転写圧接部を通過した際に、用紙９（本例では厚紙）に伝達される衝撃が吸収される。
【００３６】
[第２実施形態]
次に、本発明に係る画像形成装置における第２実施形態について説明する。尚、本実施形態において、第１実施形態に示す構成と同一の構成については、同一符号を付すことでその説明を省略する。
【００３７】
図４は、本実施形態における画像形成装置の作動装置を示す概略図である。作動装置２００は、画像形成装置１の作動装置５２を変更したものである。
【００３８】
作動装置２０２は、インレットシュート５０を作動させる作動部材と作動部材を制御する不図示の制御部から構成されている。尚、制御部は制御装置４の一部として構成することができる。
【００３９】
作動部材は、インレットシュート５０の転写装置１６側である一端を支点としてインレットシュート５０を初期位置から反時計回り方向に回転するように駆動する駆動源であるステッピングモータ２０２ａ、及びインレットシュート５０にステッピングモータ２０２ａの駆動力を伝達する回転中心から偏心した位置でインレットシュート５０に接続されているカム２０２ｂから構成されている。
【００４０】
尚、本実施形態における画像形成装置の作動装置２０２の動作は第１実施形態と同様であるが、本実施形態の作動装置２０２における作動量は、ステッピングモータ２０２ａに送信する電気信号であるパルス数で決定される。
【００４１】
従って、本実施形態における画像形成装置の作動装置２０２では、第１実施形態に比べて多くの用紙９の種類に応じて作動量を設定することができる。用紙９の種類としては、坪量が１００ｇ／ｍ2以下である普通紙、坪量が１００ｇ／ｍ2を越えて２００ｇ／ｍ2以下さある厚紙１、及び坪量が２００ｇ／ｍ2を超える厚紙２等が挙げられる。
【００４２】
尚、本発明は上記実施形態に限定されるものではなく、本発明の要旨の範囲内において種々の変形実施が可能である。
【図面の簡単な説明】
【００４３】
【図１】図１は、第１実施形態における画像形成装置を示す概略図である。
【図２】図２は、第１実施形態における画像形成装置の作動装置を示す概略図である。
【図３】図３は、第１実施形態における画像形成装置の作動装置の動作について説明する図である。
【図４】図４は、第２実施形態における画像形成装置の作動装置を示す概略図である。
【符号の説明】
【００４４】
１：画像形成装置、９：用紙（記録媒体）、１２：感光体ドラム（像保持体）、１６ａ：転写ロール（像転写体）、３０：定着装置（定着手段）、３２：加熱ロール（加熱体）、３３：加圧ロール（加圧体）、５０：インレットシュート（案内部材）、５２、２０２：作動装置（作動手段）、５２ａ：ソレノイド、２０２ａ：ステッピングモータ
【図１】
2009069633.tif 000003
【図２】
2009069633.tif 000004
【図３】
2009069633.tif 000005
【図４】
2009069633.tif 000006